(57)【要約】      （修正有）【課題】端末装置を固定するための粘着面を好適に保護することが可能な端末保持装置を提供する。【解決手段】端末保持装置１は、基台である取付部１１と、アーム１３と、端末ホルダ２０とを備える。端末ホルダ２０は、背面部２１と、収納部である底部２２とを有する。背面部２１は、取付部１１上に設けられる。そして、背面部２１は、携帯端末に対して粘着する粘着面である粘着部４０を有する。底部２２は、粘着部４０を覆う保護シート３２を引き出し可能に収納する。【選択図】図２
2014068311.tif 000002
【特許請求の範囲】
【請求項１】
基台と、
前記基台上に設けられ、携帯端末に対して粘着する粘着面を有する背面部と、
前記粘着面を覆う保護シートを引き出し可能に収納する収納部と、
を備えることを特徴とする端末保持装置。
【請求項２】
前記収納部は、前記保護シートを巻き取る巻き取り機構を有することを特徴とする請求項１に記載の端末保持装置。
【請求項３】
前記巻き取り機構には、前記保護シートを巻き取るように、前記保護シートを引き戻す力が発生することを特徴とする請求項２に記載の端末保持装置。
【請求項４】
前記収納部は、前記保護シートを巻き取りながらクリーニングするクリーニング機構を備えることを特徴とする請求項２または３に記載の端末保持装置。
【請求項５】
前記クリーニング機構は、前記保護シートを摺動可能に挟み込むことを特徴とする請求項４に記載の端末保持装置。
【請求項６】
前記クリーニング機構は、前記収納部から取り外し自在であることを特徴とする請求項４または５に記載の端末保持装置。
【請求項７】
前記収納部は、前記端末装置を下方から支持する支持部であることを特徴とする請求項１乃至６のいずれか一項に記載の端末保持装置。
【請求項８】
前記粘着面は熱伝導性ゲルにより構成され、前記背面部は金属であることを特徴とする請求項１乃至７のいずれか一項に記載の端末保持装置。
【発明の詳細な説明】
【技術分野】
【０００１】
本発明は、端末装置を保持する端末保持装置に関する。
【背景技術】
【０００２】
従来から、車室内で端末装置を載置するための端末保持装置が知られている。例えば、非特許文献１には、背面部に設けられた粘着ゲルにより、載置された端末装置を、側面方向及び上下方向から狭持することなく、好適に固定することが可能な端末保持装置が開示されている。
【先行技術文献】
【非特許文献】
【０００３】
【非特許文献１】”ＤＮ−ＭＡＲＭＭＦ−ＴｙｐｅＡ”、［平成２４年９月２４日検索］、インターネット〈ＵＲＬ：http://www.donya.jp/item/17444.html〉
【発明の概要】
【発明が解決しようとする課題】
【０００４】
非特許文献１の端末保持装置は、端末装置の縦幅及び横幅によらずに端末装置を好適に保持することができる。一方、非特許文献１の端末保持装置では、端末装置が端末保持装置に保持されていないときに粘着ゲルに埃が付着するため、粘着ゲルの粘着力が徐々に低下してしまうという問題がある。この場合、ユーザは、端末保持装置を一時的に設置場所から取り外して持ち帰り、粘着ゲルを洗浄する必要がある。
【０００５】
本発明は、上記のような課題を解決するためになされたものであり、端末装置を固定するための粘着面を好適に保護することが可能な端末保持装置を提供することを主な目的とする。
【課題を解決するための手段】
【０００６】
請求項１に記載の発明では、端末保持装置は、基台と、前記基台上に設けられ、携帯端末に対して粘着する粘着面を有する背面部と、前記粘着面を覆う保護シートを引き出し可能に収納する収納部と、を備えることを特徴とする。
【図面の簡単な説明】
【０００７】
【図１】実施例に係る端末保持装置を示す。
【図２】保護シートにより粘着部が保護された状態の端末保持装置を示す。
【図３】端末ホルダの底部の断面図を示す。
【図４】第２構成例に係る端末保持装置を示す。
【図５】（Ａ）第３構成例に係る端末保持装置を示す。（Ｂ）第４構成例に係る端末保持装置を示す。
【発明を実施するための形態】
【０００８】
本発明の好適な実施形態によれば、端末保持装置は、基台と、前記基台上に設けられ携帯端末に対して粘着する粘着面を有する背面部と、前記粘着面を覆う保護シートを引き出し可能に収納する収納部と、を備える。
【０００９】
上記端末保持装置は、基台と、背面部と、収納部とを有する。背面部は、基台上に設けられる。そして、背面部は、携帯端末に対して粘着する粘着面を有する。収納部は、粘着面を覆う保護シートを引き出し可能に収納する。この態様により、端末保持装置は、粘着面により携帯端末を好適に保持することができると共に、携帯端末を保持しない時には粘着面を保護シートにより覆うことができる。また、保護シートは、収納部に引き出し可能に収納されるため、紛失等のおそれがない。
【００１０】
上記端末保持装置の一態様では、前記収納部は、前記保護シートを巻き取る巻き取り機構を有する。この態様により、収納部は、保護シートを好適に収納することができる。
【００１１】
上記端末保持装置の他の一態様では、前記巻き取り機構には、前記保護シートを巻き取るように、前記保護シートを引き戻す力が発生することを特徴とする。この態様により、収納部は、粘着面から剥がされた保護シートを自動的に収納することができる。
【００１２】
上記端末保持装置の他の一態様では、前記収納部は、前記保護シートを巻き取りながらクリーニングするクリーニング機構を備える。この態様により、収納部は、好適に、保護シートに付着した埃などの汚れを除去し、保護シートの汚れが粘着面に付着するのを抑制することができる。
【００１３】
上記端末保持装置の他の一態様では、前記クリーニング機構は、前記保護シートを摺動可能に挟み込む。この態様により、クリーニング機構は、好適に、保護シートに付着した埃などの汚れを除去することができる。
【００１４】
上記端末保持装置の他の一態様では、前記クリーニング機構は、前記収納部から取り外し自在である。この態様により、ユーザは、汚れたクリーニング機構を取り換えたり、洗浄したりすることができる。
【００１５】
上記端末保持装置の他の一態様では、前記収納部は、前記端末装置を下方から支持する支持部である。この態様により、収納部をさらに端末装置の支持部として機能させることができるため、端末保持装置のスリム化を実現することができる。
【００１６】
上記端末保持装置の他の一態様では、前記粘着面は熱伝導性ゲルにより構成され、前記背面部は金属である。この態様により、端末保持装置は、携帯端末の放熱効果を好適に高めることができる。
【実施例】
【００１７】
以下、図面を参照して本発明の好適な実施例について説明する。
【００１８】
［概略構成］
図１は、実施例に係る端末保持装置１を示す。端末保持装置１は、いわゆるクレードルとして機能し、スマートフォンなどの端末装置５０が取り付けられる。
【００１９】
図１は、端末装置５０を保持した状態の端末保持装置１を示している。具体的に、図１（ａ）は端末保持装置１の正面図であり、図１（ｂ）は、端末保持装置１の側面図である。端末保持装置１は、車両のダッシュボードなどの被取付部の設置面（「被取付面」とも呼ぶ。）５に固定される。
【００２０】
図示のように、端末保持装置１は、取付部１１と、アーム１３と、端末ホルダ２０とを備える。
【００２１】
取付部１１は、端末保持装置１を車両などの移動体に取り付ける際の基台として機能する。取付部１１は、バネなどを収容する収容部１１ａと、被取付面５に固定される吸盤部１１ｂとを備える。
【００２２】
収容部１１ａには、被取付面５と吸盤部１１ｂの取付面１１０とを固定するためのレバー１７が設けられる。レバー１７は、矢印４１の方向に押し下げられると、取付部１１内を負圧にし、被取付面５と吸盤部１１ｂの取付面１１０とを隙間なく密着させる。
【００２３】
アーム１３は、端末ホルダ２０の背面部２１から隆起した隆起部２３に設けられたボールリンク２４と接続する。ボールリンク２４は、アーム１３の上端に取り付けられており、アーム１３に対して端末ホルダ２０を任意の角度で保持する。
【００２４】
端末装置５０は、端末装置５０本体の前面側であり液晶表示パネルなどの表示部を有する表示面５１と、端末装置５０本体の背面側の背面５２とを備える。通常、端末装置５０は矩形の平板形状に構成されており、表示面５１と背面５２は略平行に作られている。
【００２５】
端末ホルダ２０には、端末装置５０が装着される。端末ホルダ２０は、端末装置５０の背面５２と対向する背面部２１と、端末装置５０を下方から支持する底部２２と、アーム１３と接続する隆起部２３とを有する。
【００２６】
背面部２１の端末装置５０の背面５２と対向する前面２１０の中央部分には、粘着部４０が設けられている。粘着部４０は、粘着（吸着）性を有するゲル状の粘着材であり、端末装置５０が端末ホルダ２０に載置された場合に、端末装置５０の背面５２に粘着する。これにより、端末装置５０が背面部２１に対して固定され、車両に振動が生じた場合であっても、端末装置５０の背面部２１に対する相対位置が変化しない。端末保持装置１は、このように、粘着部４０により端末装置５０を固定する構成を有することで、端末保持装置１に載置される端末装置５０の横幅や縦幅などに依存することなく、種々の大きさの端末装置５０を好適に保持することができる。粘着部４０は、本発明における「粘着面」の一例である。
【００２７】
底部２２は、端末装置５０を下方から支持する支持部として機能すると共に、粘着部４０に埃が付くのを保護するための薄い樹脂シートである保護シート３２（図２にて図示）を収納する収納部として機能する。図１では、保護シート３２の端に取り付けられたユーザが保護シート３２を底部２２から引き出すための把持部３１が図示されている。把持部３１は、保護シート３２の収納状態では、端末装置５０を下方から支持する位置に存在する。底部２２の構成については、［保護シート］のセクションで詳しく説明する。
【００２８】
また、端末ホルダ２０は、シガーチャージャーなどの電源と接続するための図示しない給電コネクタを有し、接続した電源から電力の供給を受けて端末装置５０の充電を行ってもよい。このとき、端末ホルダ２０は、ワイアレスにより端末装置５０に電力を供給するワイヤレスチャージャーであってもよく、端末装置５０と接続するためのコネクタを介して端末装置５０に電力を供給してもよい。
【００２９】
このとき、好適には、粘着部４０は、熱伝導性ゲルであり、背面部２１は金属からなる。これにより、端末装置５０が端末ホルダ２０に保持された際に、粘着部４０を介して背面部２１に端末装置５０の熱を放出することでき、端末装置５０の放熱効果を高めることができる。特に、高温の車内環境において、充電しながらルート案内などのアプリケーションを使用する場合に、端末装置５０の高温化に起因した動作遅延などの端末装置５０の異常を好適に防ぐことができる。
【００３０】
［粘着部の保護機能］
次に、粘着部４０の保護機能について具体的に説明する。図２は、保護シート３２により粘着部４０が保護された状態の端末保持装置１を示す。
【００３１】
この場合、図２（Ａ）、（Ｂ）に示すように、保護シート３２は、粘着部４０の表面全体を覆う位置まで底部２２から引き出され、粘着部４０と密着している。なお、この場合、ユーザは、把持部３１を、保護シート３２が粘着部４０の表面の全体を覆うことが可能な位置まで引っ張った後、保護シート３２を粘着部４０の表面全体と密着させる。そして、この場合、粘着部４０の粘着力により、保護シート３２が固定される。これにより、端末装置５０が端末保持装置１に載置されていない場合であっても、粘着部４０が露出しないため、粘着部４０に埃が付着するのを好適に抑制することができる。
【００３２】
また、底部２２は、ユーザが保護シート３２を粘着部４０から離した場合に、保護シート３２を自動的に巻き取る機能を有する。これについて、図３を参照して説明する。
【００３３】
図３は、底部２２を、図１（Ｂ）、図２（Ｂ）に示す底部２２の側面と平行な平面により切断した断面図を示す。なお、図３（Ａ）は、保護シート３２を収納した底部２２の状態を示し、図３（Ｂ）は、把持部３１が引っ張られた状態の底部２２の状態を示す。図３（Ａ）、（Ｂ）に示すように、底部２２は、保護シート３２を巻き取るためのぜんまい部３３と、ぜんまい部３３及び保護シート３２を収納する筺体３４と、保護シート３２に付着した埃を拭き取るクリーニング部３５Ｘ、３５Ｙとを有する。なお、図３に示すぜんまい部３３の断面は、ぜんまい部３３の実際の形状に基づく断面ではなく、ぜんまい部３３の存在範囲を概略的に示している。
【００３４】
ぜんまい部３３は、弾性の高い素材を渦巻状に巻いたぜんまいばねを有する。そして、ぜんまい部３３には、保護シート３２を巻き取るように、保護シート３２を引き戻す力が発生する。そして、ぜんまい部３３に引き戻された保護シート３２は、ぜんまい部３３に巻きつけられている。なお、ぜんまい部３３により保護シート３２を引き戻す力は、粘着部４０に粘着した保護シート３２を剥がすことが可能な力よりも弱い。ぜんまい部３３は、本発明における「巻き取り機構」の一例である。
【００３５】
クリーニング部３５Ｘ、３５Ｙは、保護シート３２を挟み込む位置に、筺体３４に対して固定される。図３では、一例として、クリーニング部３５Ｘ、３５Ｙを支持するように、クリーニング部３５Ｘ、３５Ｙの形状に沿って、溝部３４０Ｘ、３４０Ｙがそれぞれ筺体３４に形成されている。クリーニング部３５Ｘ、３５Ｙは、保護シート３２と接触する面がスポンジなどの保護シート３２に付着した埃を除去可能な素材により構成されている。そして、保護シート３２がぜんまい部３３に引き戻されたり、把持部３１により引っ張られたりする毎に、保護シート３２がクリーニング部３５Ｘ、３５Ｙの表面上を摺動する。これにより、クリーニング部３５Ｘ、３５Ｙは、保護シート３２の表面に付着した埃などの汚れを除去することができる。従って、保護シート３２を粘着部４０に密着させた際に、保護シート３２に付着した埃等に起因して、粘着部４０が汚れるのを確実に抑制することができる。
【００３６】
また、好適には、クリーニング部３５Ｘ、３５Ｙは、筺体３４に対して着脱自在に構成されるとよい。この場合、例えば、クリーニング部３５Ｘ、３５Ｙ及び溝部３４０Ｘ、３４０Ｙは、それぞれ、互いの接触面に面ファスナーや粘着性がある粘着面などが形成される。これにより、ユーザは、クリーニング部３５Ｘ、３５Ｙを好適に取り外して新品に交換したり、洗浄して再利用したりすることができる。クリーニング部３５Ｘ、３５Ｙは、本発明における「クリーニング機構」の一例である。
【００３７】
なお、クリーニング部３５Ｘ、３５Ｙのうち、粘着部４０と接触する保護シート３２の面が摺動するクリーニング部３５Ｘのみが、保護シート３２に付着した埃を除去する機能及び上述の着脱機能を備えてもよい。この場合であっても、好適に、端末保持装置１は、粘着部４０と接触する保護シート３２の面を浄化し、保護シート３２を粘着部４０に密着させた際に、粘着部４０が汚れるのを抑制することができる。
【００３８】
以上説明したように、端末保持装置１は、基台として機能する取付部１１と、取付部１１上に設けられる背面部２１と、保護シート３２の収納部として機能する底部２２とを有する。背面部２１は、端末装置５０に対して粘着する粘着部４０を有する。底部２２は、粘着部４０を覆う保護シート３２を引き出し可能に収納する。この態様により、端末保持装置１は、粘着部４０により端末装置５０を好適に保持することができると共に、端末装置５０を保持しない時には粘着部４０を保護シート３２により覆うことができる。また、保護シート３２は、底部２２に引き出し可能に収納されるため、紛失等のおそれがない。
【００３９】
［他の構成例］
上述した端末保持装置１の構成（「第１構成例」とも呼ぶ。）は、一例であり、本発明が適用可能な構成例は、これに限定されない。ここで、第１構成例と同等の機能を有する他の構成例（第２構成例乃至第４構成例）について説明する。なお、第２乃至第４構成例の説明では、第１構成例と同一の構成要素については、適宜同一の符号を付し、その説明を省略する。
【００４０】
図４は、第２構成例に係る端末保持装置１Ａを示す。図４に示すように、第２構成例に係る端末保持装置１Ａでは、保護シート３２を収納する収納部２２ｂが端末装置５０を支持する底部２２ａと分離して背面部２１の上端に設けられている。収納部２２ｂは、図３に示す構成と同一の構成を有する。そして、この場合、収納部２２ｂは、端末装置５０が端末ホルダ２０に載置される場合に障害とならないように、背面部２１の前面２１０の延長面よりも端末装置５０が載置される側に突出しない位置に配置される。
【００４１】
そして、ユーザは、端末保持装置１Ａの不使用時には、把持部３１を粘着部４０の方向に引っ張り、粘着部４０の全面を覆うように保護シート３２を粘着部４０に貼り付ける。この場合、図４に示すように、粘着部４０に対して保護シート３２が密着した状態で固定される。また、ユーザが保護シート３２を粘着部４０から離した場合、収納部２２ｂのぜんまい部３３が保護シート３２を自動的に巻き取る。そして、収納部２２ｂから保護シート３２の出し入れが行われる度に、クリーニング部３５Ｘ、３５Ｙが保護シート３２の汚れを除去する。
【００４２】
このように、第２構成例によっても、端末保持装置１Ａは、端末装置５０が載置されていないときには粘着部４０を保護シート３２により保護し、端末装置５０が載置されているときには保護シート３２を好適に収納することができる。
【００４３】
図５（Ａ）は、第３構成例に係る端末保持装置１Ｂを示す。図５（Ａ）に示すように、第３構成例に係る端末保持装置１Ｂでは、収納部２２ｂが背面部２１の側面に設けられている。そして、この場合、収納部２２ｂは、第２構成例と同様、端末装置５０が端末ホルダ２０に載置される場合に障害とならないように、背面部２１の前面２１０の延長面よりも端末装置５０が載置される側に突出しない位置に配置される。
【００４４】
この構成であっても、ユーザは、端末保持装置１Ｂの不使用時には、把持部３１を粘着部４０の方向に引っ張り、粘着部４０の全面を覆うように保護シート３２を粘着部４０に貼り付ける。この場合、図５（Ａ）に示すように、粘着部４０に対して保護シート３２が密着した状態で固定される。また、ユーザが保護シート３２を粘着部４０から剥がした場合、収納部２２ｂのぜんまい部３３が保護シート３２を巻き取る。そして、収納部２２ｂから保護シート３２の出し入れが行われる度に、クリーニング部３５Ｘ、３５Ｙが保護シート３２の汚れを除去する。
【００４５】
このように、第３構成例によっても、端末保持装置１Ｂは、端末装置５０が載置されていないときには粘着部４０を保護シート３２により保護し、端末装置５０が載置されているときには保護シート３２を好適に収納することができる。なお、収納部２２ｂは、図５（Ａ）に示す配置に代えて、図５（Ａ）に示す背面部２１の側面と反対側の側面に設けられてもよい。
【００４６】
図５（Ｂ）は、第４構成例に係る端末保持装置１Ｃを示す。第４構成例に係る端末保持装置１Ｃは、手動により保護シート３２を底部２２ｃに収納する点で、第１構成例に係る端末保持装置１と異なる。
【００４７】
第４構成例では、底部２２ｃは、保護シート３２を巻き取るための操作部３９を有する。そして、底部２２ｃは、図３に示すぜんまい部３３に代えて、操作部３９の回転に伴い回転する円柱状のローラ部を有し、操作部３９への操作量に応じて保護シート３２を巻き取る。また、端末保持装置１Ｂの不使用時には、他の構成例と同様、ユーザは、把持部３１を粘着部４０の方向に引っ張り、粘着部４０の全面を覆うように保護シート３２を粘着部４０に貼り付ける。
【００４８】
このように、第４構成例によっても、端末保持装置１Ｃは、端末装置５０が載置されていないときには粘着部４０を保護シート３２により保護し、端末装置５０が載置されているときには保護シート３２を好適に収納することができる。
【産業上の利用可能性】
【００４９】
本発明は、各種の端末装置を保持する端末保持装置に利用することができる。
【符号の説明】
【００５０】
１、１Ａ乃至１Ｃ  端末保持装置
５  被取付部
１１  取付部
１３  アーム
２０  端末ホルダ
３１  把持部
３２  保護シート
【図１】
2014068311.tif 000003
【図２】
2014068311.tif 000004
【図３】
2014068311.tif 000005
【図４】
2014068311.tif 000006
【図５】
2014068311.tif 000007